(57)【特許請求の範囲】
【請求項１】
上面が商品を載置する載置面を構成する商品載置部と、前記商品載置部の左右の両側部に配設され、かつ商品の載置可能な左右幅を規制する規制部材とを備えた棚板を有し、ショーケースのケース本体の内部において商品を陳列させる商品陳列棚であって、
前記規制部材は、
前後方向が長手方向となる長尺状の形態をなし、かつ長手方向の一端部及び他端部に係止片が形成された水平延在部と、
前記水平延在部の長手方向に直交する方向の一方の縁端部より上方に向けて延在する上延部と
を有してなり、
前記棚板は、
前記商品載置部の両側部の前端部分に形成された係止孔を有し、かつ前記水平延在部の一端部及び他端部の一方の係止片が該係止孔に挿入することで係止状態となる第１係止部と、
前記商品載置部の両側部の後端部分に形成された係止切欠を有し、かつ前記水平延在部の一端部及び他端部の他方の係止片が該係止切欠に進入することで係止状態となる第２係止部と
を備え、
前記係止孔は、前記載置面の上方にて後方を臨む態様で開放する態様で形成され、前記係止切欠は、前記商品載置部の後端部の上方屈曲部分の左右両端が切り欠かれることで前記載置面の上方に形成されたことを特徴とする商品陳列棚。
【請求項２】
前記商品載置部は、前記載置面に載置される商品を加熱するためのヒータが設けられていることを特徴とする請求項１に記載の商品陳列棚。
【請求項３】
前記棚板は、前記ヒータにより商品を加熱する場合には、互いに対向する前記上延部の離間距離が最小となるよう前記規制部材を配設してなる一方、前記ヒータにより商品を加熱しない場合には、互いに対向する前記上延部の離間距離が最大となるよう前記規制部材を配設してなることを特徴とする請求項２に記載の商品陳列棚。
【発明の詳細な説明】
【技術分野】
【０００１】
本発明は、商品陳列棚に関し、より詳細には、ショーケースのケース本体の内部において商品を陳列させる商品陳列棚に関するものである。
【背景技術】
【０００２】
従来、前面に開口が形成されたケース本体の収納室に商品陳列棚が上下方向に沿って複数段設けられ、各商品陳列棚に商品が陳列されたオープンショーケースと称されるショーケースが知られている。
【０００３】
このようなショーケースでは、商品陳列棚を構成する棚板の商品載置部にはヒータが内蔵されており、かかるヒータが通電状態となって駆動する場合には、商品陳列棚に陳列される商品が所望の温度に加熱されて保持される。
【０００４】
一方、上記ショーケースでは、上記ヒータを非通電状態にして駆動停止させている状態において、ケース本体内であって収納室外となる空気通路に配設された循環ファンを駆動させると、収納室の内部の空気は次のように循環する。すなわち、収納室の内部の空気は、収納室に設けられた吸込口を通じて空気通路を通過し、該空気通路に配設された蒸発器で冷却されて、収納室に設けられた吹出口を通じて収納室に吹き出される。吹出口を通じて吹き出された空気が再び吸込口に吸い込まれて循環することにより、収納室の内部空気が冷却され、商品陳列棚に陳列された商品が所望の温度に冷却されて保持される。
【０００５】
このようなショーケースでは、商品を冷却する場合には、収納室の内部空気を冷却することで各商品を冷却するので商品陳列棚の略全域に商品を載置させることができるが、商品を加熱する場合には、ヒータにより加熱するので、ヒータの熱が伝わる領域に商品を載置する必要がある。
【０００６】
そこで、商品の載置可能な領域を規制するための規制板を備えた商品陳列棚が提案されている（例えば、特許文献１参照）。
【先行技術文献】
【特許文献】
【０００７】
【特許文献１】特開２００９−１８３３４７号公報
【発明の概要】
【発明が解決しようとする課題】
【０００８】
ところで、特許文献１に提案されているような商品陳列棚では、規制板の前端及び後端の係合部が商品載置部の前端部及び後端部に係合するようにして商品の載置可能な領域を規制していたので、次のような問題があった。
【０００９】
すなわち、商品を冷却する場合のように規制板そのものを用いる必要がないときには、取り外した規制板をショーケースの外部で保管等する必要があった。そのため、規制板の設置作業では、規制板を保管場所から持参する必要があり、結果的に商品の載置領域の変更に伴う規制板の設置作業が煩雑なものとなっていた。
【００１０】
また取り外した規制板をケース本体の内部に収容しておくことも考えられるが、ケース本体の内部に規制板の収容空間を確保することは、その収容空間がデッドスペースとなることもあり好ましくない。
【００１１】
本発明は、上記実情に鑑みて、商品の載置領域の変更に伴う規制部材の設置を簡単なものとすることができる商品陳列棚を提供することを目的とする。
【課題を解決するための手段】
【００１２】
上記目的を達成するために、本発明に係る商品陳列棚は、上面が商品を載置する載置面を構成する商品載置部と、前記商品載置部の左右の両側部に配設され、かつ商品の載置可能な左右幅を規制する規制部材とを備えた棚板を有し、ショーケースのケース本体の内部において商品を陳列させる商品陳列棚であって、前記規制部材は、前後方向が長手方向となる長尺状の形態をなし、かつ長手方向の一端部及び他端部に係止片が形成された水平延在部と、前記水平延在部の長手方向に直交する方向の一方の縁端部より上方に向けて延在する上延部とを有してなり、前記棚板は、係止孔を有し、かつ前記水平延在部の一端部及び他端部の一方の係止片が該係止孔に挿入することで係止状態となる第１係止部と、係止切欠を有し、かつ前記水平延在部の一端部及び他端部の他方の係止片が該係止切欠に進入することで係止状態となる第２係止部とを備えたことを特徴とする。
【００１３】
また本発明は、上記商品陳列棚において、前記第１係止部は、前記商品載置部の両側部の前端部分に形成され、前記第２係止部は、前記商品載置部の両側部の後端部分に形成されたことを特徴とする。
【００１４】
また本発明は、上記商品陳列棚において、前記商品載置部は、前記載置面に載置される商品を加熱するためのヒータが設けられていることを特徴とする。
【００１５】
また本発明は、上記商品陳列棚において、前記棚板は、前記ヒータにより商品を加熱する場合には、互いに対向する前記上延部の離間距離が最小となるよう前記規制部材を配設してなる一方、前記ヒータにより商品を加熱しない場合には、互いに対向する前記上延部の離間距離が最大となるよう前記規制部材を配設してなることを特徴とする。
【発明の効果】
【００１６】
本発明によれば、規制部材の水平延在部の一端部及び他端部の一方の係止片を係止孔に挿入させるとともに他方の係止片を係止切欠に進入させて規制部材を商品載置部の両側部に載置することで商品の載置可能な左右幅を規制することができる。これにより、商品の載置可能な左右幅をどのような大きさにする場合にも規制部材を取り外して所定の個所に保管等する必要もなければ、保管場所から規制部材を持参する必要もない。従って、商品の載置領域の変更に伴う規制部材の設置を簡単なものとすることができるという効果を奏する。
【図面の簡単な説明】
【００１７】
【図１】図１は、本発明の実施の形態である商品陳列棚が適用されたショーケースの内部構造を右方から見た場合を示す断面側面図である。
【図２】図２は、本発明の実施の形態である商品陳列棚の要部を前方から見た場合の断面図である。
【図３】図３は、本発明の実施の形態である商品陳列棚の要部を後方から見た場合の断面図である。
【図４】図４は、本発明の実施の形態である商品陳列棚を構成する規制部材の斜視図である。
【図５】図５は、本発明の実施の形態である商品陳列棚の平面図である。
【図６】図６は、本発明の実施の形態である商品陳列棚の平面図である。
【発明を実施するための形態】
【００１８】
以下に添付図面を参照して、本発明に係る商品陳列棚の好適な実施の形態について詳細に説明する。
【００１９】
図１は、本発明の実施の形態である商品陳列棚が適用されたショーケースの内部構造を右方から見た場合を示す断面側面図である。ここで例示するショーケースは、ケース本体１を備えている。
【００２０】
ケース本体１は、前面に開口（以下、前面開口ともいう）１ａが形成された略直方状の断熱筐体であり、その内部には収納室２が画成されているとともに、空気循環手段３が設けられている。
【００２１】
収納室２は、上記前面開口１ａを臨む態様で画成された室であり、複数（図示の例では４つ）の商品陳列棚１０が上下方向に沿って複数段並べて配設されている。これら商品陳列棚１０の構成については後述する。かかる収納室２にはデッキ９が配設されている。このデッキ９は、収納室２の底部を構成するものである。
【００２２】
空気循環手段３は、空気通路４と循環ファン５とを備えて構成されている。空気通路４は、吸込口６から吹出口７に至る空気の通路である。ここで吸込口６は、収納室２の内部の空気を吸い込むための開口であり、収納室２の左右方向に沿って延設された長尺状のものである。この吸込口６は、収納室２の下側前方縁部、すなわちケース本体１の前面開口１ａ近傍の下部に配設されている。
【００２３】
吹出口７は、収納室２に空気を吹き出すための開口である。この吹出口７は、収納室２の左右方向に延設されており、収納室２の上側前方縁部、すなわちケース本体１の前面開口１ａ近傍の上部に配設されている。
【００２４】
このような空気通路４は、収納室２の外部であってその下方にある下側ダクト４ａと、収納室２の外部であってその背面側にある背面側ダクト４ｂと、収納室２の外部であってその上方にある上側ダクト４ｃとを互いに連通した態様で構成されている。
【００２５】
循環ファン５は、空気を循環させるものであり、下側ダクト４ａの所定部位に配設されている。本実施の形態においては、循環ファン５は下側ダクト４ａの所定部位に配設されているが、本発明では、循環ファン５の配設位置は特に限定されるものではなく、後述する循環ファン５の機能を発揮することができる個所であればどこに配設されても構わない。
【００２６】
このような空気循環手段３においては、循環ファン５が駆動することにより吸込口６を通じて収納室２の内部にある空気（内部空気）が吸い込まれ、吸い込んだ空気が空気通路４を通過する態様で吹出口７まで送出し、吹出口７を通じて空気が収納室２に吹き出されることにより、収納室２の内部と外部との間で空気を循環させて、収納室２の前面開口１ａの近傍にエアカーテンを形成するものである。
【００２７】
上記空気通路４の背面側ダクト４ｂには、蒸発器８が設けられている。蒸発器８は、図示せぬ圧縮機や凝縮器及び膨張機構と冷媒管路で接続されて冷媒を循環させる冷媒循環手段を構成している。ここに圧縮機は、冷媒を圧縮するものであり、凝縮器は、圧縮機で圧縮された冷媒を凝縮させるものである。膨張機構は、凝縮器で凝縮された冷媒を断熱膨張させて低温低圧の状態にさせるものである。
【００２８】
蒸発器８は、循環ファン５が駆動することにより背面側ダクト４ｂを下方から上方に向けて通過する空気と、膨張機構で断熱膨張させた冷媒とを熱交換させるもの、より詳細には、冷媒を蒸発させることにより背面側ダクト４ｂを通過する空気を冷却するものである。この蒸発器８で蒸発した冷媒は、再び圧縮機に戻り圧縮されることになる。
【００２９】
上記商品陳列棚１０は、ブラケット部材２０と棚板３０とを備えて構成されている。ブラケット部材２０は、図２及び図３にも示すように、左右一対のものである。このようなブラケット部材２０は、互いの内面が対向する態様で棚柱１１に支持されている。尚、ここでいう「内面」とは、右側のブラケット部材２０では左面をさし、左側のブラケット部材２０では右面をさすものとする。棚柱１１は、収納室２の後方側において互いの内面が対向する態様で立設された左右一対のものである。
【００３０】
棚板３０は、商品載置部４０と規制部材５０とを備えて構成されている。商品載置部４０は、例えば鋼板等により形成されたものであり、前端部、後端部及び左右両端部は上方に向けて屈曲された平板状を成すものである。この商品載置部４０の上面は、商品を載置するための載置面４１を構成している。
【００３１】
このような商品載置部４０は、レール部材６０を介してブラケット部材２０に支持されている。レール部材６０は、従来公知のものであるから簡単に説明する。レール部材６０は、図２及び図３に示すように左右一対のものであり、それぞれブラケットレール部６１と棚レール部６２とが互いに接合されて構成されたものである。
【００３２】
ブラケットレール部６１は、縦断面が略コ字状を成し、前後方向が長手方向となる長尺棒状体である。このブラケットレール部６１は、ブラケット部材２０の内面に設けられたブラケットローラ２１の進入を許容し、かつブラケットローラ２１を転動させるものである。棚レール部６２は、縦断面が略コ字状を成し、前後方向が長手方向となる長尺棒状体である。この棚レール部６２は、商品載置部４０の下面に設けられた棚ローラ４２の進入を許容し、かつ棚ローラ４２を転動させるものである。ここで棚ローラ４２は、商品載置部４０の下面に取り付けられたローラ支持部４３に自身の軸心回りに回転可能に設けられている。
【００３３】
このようにレール部材６０は、ブラケットレール部６１にブラケットローラ２１が進入して転動することで、ブラケット部材２０に対して前後方向に沿ってスライド移動可能なものである。また、商品載置部４０は、棚ローラ４２がレール部材６０の棚レール部６２に進入して転動することで、レール部材６０に対して前後方向に対してスライド移動可能なものである。つまり、商品載置部４０は、レール部材６０を介することで、ブラケット部材２０に対して前後方向に沿って移動可能に支持されている。
【００３４】
上記商品載置部４０の下面の中央領域、すなわちローラ支持部４３間には、ヒータ４４が設けられている。ヒータ４４は、通電状態となることにより駆動して商品載置部４０の載置面４１に載置される商品を加熱するものである。
【００３５】
規制部材５０は、図４に示すように、水平延在部５１と上延部５２とを備えて構成されている。
【００３６】
水平延在部５１は、前後方向が長手方向となる長尺状の形態をなすものである。この水平延在部５１の長手方向の一端部及び他端部には、それぞれ舌片状の係止片５１ａ，５１ｂが形成されている。
【００３７】
上延部５２は、水平延在部５１の長手方向に直交する方向の一方の縁端部に連続し、かつ上方に向けて延在するものである。
【００３８】
一方、上記商品載置部４０の左右の両側部には、前端係止部（第１係止部）４５及び後端係止部（第２係止部）４６が設けられている。
【００３９】
前端係止部４５は、商品載置部４０の両側部の前端部分に設けられており、矩形状の係止孔４５ａが形成されている。この係止孔４５ａは、規制部材５０の係止片５１ａ，５１ｂの挿入を許容するものであり、その左右幅及び上下幅は、それぞれ係止片５１ａ，５１ｂの左右幅及び上下幅よりも僅かに大きいものである。
【００４０】
後端係止部４６は、商品載置部４０の両側部の後端部分に設けられており、係止切欠４６ａが形成されている。係止切欠４６ａは、商品載置部４０の後端部の上方屈曲部分４７の左右両端部を切り欠くことにより形成されている。この係止切欠４６ａは、規制部材５０の係止片５１ａ，５１ｂの進入を許容するものであり、商品載置部４０の後端部の上方屈曲部分４７の左右幅は、係止切欠４６ａに係止片５１ａ，５１ｂが進入した場合に、上方屈曲部分４７の端部が係止片５１ａ，５１ｂに当接可能な大きさに調整されている。
【００４１】
以上のような構成を有する商品陳列棚１０においては、図５に示すように、商品載置部４０の左側部における前端係止部４５の係止孔４５ａに規制部材５０の水平延在部５１における一端部の係止片（以下、第１係止片ともいう）５１ａを挿入させるとともに、該左側部における後端係止部４６の係止切欠４６ａに該水平延在部５１における他端部の係止片（以下、第２係止片ともいう）５１ｂを進入させることで、商品載置部４０の左側部に規制部材５０を配設することができる。
【００４２】
この場合に、規制部材５０は、第１係止片５１ａが係止孔４５ａに挿入することで左右方向及び上下方向の移動が規制されるとともに前方への移動が規制され、第２係止片５１ｂが係止切欠４６ａに進入することで商品載置部４０の後端部の上方屈曲部分４７に当接して右方（商品載置部４０の中央側）への移動が規制されるとともに後方への移動が規制されて、前端係止部４５及び後端係止部４６と係止状態になる。
【００４３】
商品載置部４０の右側部における前端係止部４５の係止孔４５ａに規制部材５０の水平延在部５１の第２係止片５１ｂを挿入させるとともに、該右側部における後端係止部４６の係止切欠４６ａに水平延在部５１の第１係止片５１ａを進入させることで、商品載置部４０の右側部に規制部材５０を配設することができる。
【００４４】
この場合に、規制部材５０は、第２係止片５１ｂが係止孔４５ａに挿入することで左右方向及び上下方向の移動が規制されるとともに前方への移動が規制され、第１係止片５１ａが係止切欠４６ａに進入することで商品載置部４０の後端部の上方屈曲部分４７に当接して左方（商品載置部４０の中央側）への移動が規制されるとともに後方への移動が規制されて、前端係止部４５及び後端係止部４６と係止状態になる。
【００４５】
このように商品載置部４０の両側部に規制部材５０が配設される場合、商品載置部４０の左側部に配設される規制部材５０の上延部５２は、水平延在部５１の左方側に位置し、商品載置部４０の右側部に配設される規制部材５０の上延部５２は、水平延在部５１の右方側に位置することで、これら規制部材５０の互いに対向する上延部５２の離間距離が最大となり、各規制部材５０の水平延在部５１の上面にも商品を載置させることができる。
【００４６】
そして、ヒータ４４が非通電状態で、循環ファン５が駆動するとともに冷媒循環手段が駆動することで、収納室２の内部の空気は、吸込口６を通じて吸い込まれ、下側ダクト４ａを通過して背面側ダクト４ｂに進入する。背面側ダクト４ｂに進入した空気は、蒸発器８を通過して冷却される。蒸発器８に冷却された空気は、上側ダクト４ｃを通過して吹出口７から収納室２に吹き出される。吹出口７から吹き出された空気は、その大部分が吸込口６に向けて流れることでエアカーテンを形成する。このようにエアカーテンを形成することにより、外部からの熱の侵入を抑制しつつ、収納室２の内部空気を冷却する。これにより、それぞれの商品陳列棚１０においては、商品載置部４０の載置面４１及び水平延在部５１の上面に載置されることで陳列された商品が冷却される。
【００４７】
一方、上記商品陳列棚１０においては、図６に示すように、商品載置部４０の左側部における前端係止部４５の係止孔４５ａに規制部材５０の水平延在部５１の第２係止片５１ｂを挿入させるとともに、該左側部における後端係止部４６の係止切欠４６ａに該水平延在部５１の第１係止片５１ａを進入させることで、商品載置部４０の左側部に規制部材５０を配設することができる。
【００４８】
この場合に、規制部材５０は、第２係止片５１ｂが係止孔４５ａに挿入することで左右方向及び上下方向の移動が規制されるとともに前方への移動が規制され、第１係止片５１ａが係止切欠４６ａに進入することで商品載置部４０の後端部の上方屈曲部分４７に当接して右方（商品載置部４０の中央側）への移動が規制されるとともに後方への移動が規制されて、前端係止部４５及び後端係止部４６と係止状態になる。
【００４９】
商品載置部４０の右側部における前端係止部４５の係止孔４５ａに規制部材５０の水平延在部５１の第１係止片５１ａを挿入させるとともに、該右側部における後端係止部４６の係止切欠４６ａに水平延在部５１の第２係止片５１ｂを進入させることで、商品載置部４０の右側部に規制部材５０を配設することができる。
【００５０】
この場合に、規制部材５０は、第１係止片５１ａが係止孔４５ａに挿入することで左右方向及び上下方向の移動が規制されるとともに前方への移動が規制され、第２係止片５１ｂが係止切欠４６ａに進入することで商品載置部４０の後端部の上方屈曲部分４７に当接して左方（商品載置部４０の中央側）への移動が規制されるとともに後方への移動が規制されて、前端係止部４５及び後端係止部４６と係止状態になる。
【００５１】
このように商品載置部４０の両側部に規制部材５０が配設される場合、商品載置部４０の左側部に配設される規制部材５０の上延部５２は、水平延在部５１の右方側に位置し、商品載置部４０の右側部に配設される規制部材５０の上延部５２は、水平延在部５１の左方側に位置することで、これら規制部材５０の互いに対向する上延部５２の離間距離が最小となる。よって、規制部材５０は、商品載置部４０の載置面４１におけるヒータ４４により加熱可能な領域に商品が載置されるよう、商品の載置可能な左右幅を規制することができる。
【００５２】
そして、循環ファン５及び冷媒循環手段を駆動停止にして、ヒータ４４を通電状態にして駆動させることで、それぞれの商品陳列棚１０においては、商品載置部４０の載置面４１に載置されることで陳列された商品が加熱される。
【００５３】
以上説明したように本実施の形態である商品陳列棚１０によれば、規制部材５０の第１係止片５１ａ及び第２係止片５１ｂの一方を係止孔４５ａに挿入させるとともに他方を係止切欠４６ａに進入させて規制部材５０を商品載置部４０の両側部に載置することで商品の載置可能な左右幅を規制することができる。これにより、商品の載置可能な左右幅をどのような大きさにする場合にも規制部材５０を取り外して所定の個所に保管等する必要もなければ、保管場所から規制部材５０を持参する必要もない。従って、商品の載置領域の変更に伴う規制部材５０の設置を簡単なものとすることができる。
【００５４】
上記商品陳列棚１０によれば、規制部材５０の第１係止片５１ａ及び第２係止片５１ｂの一方を係止孔４５ａに挿入させることで左右方向及び上下方向の移動が規制されるとともに前方への移動が規制され、規制部材５０の第１係止片５１ａ及び第２係止片５１ｂの他方を係止切欠４６ａに進入させることにより後方への移動が規制されるとともに商品載置部４０の中央側への移動が規制されるので、棚板４１を前後方向に沿ってスライド移動させる場合等においても規制部材５０が左右方向にずれたり、転倒してしまったりする虞れがない。
【００５５】
以上、本発明の好適な実施の形態について説明したが、本発明はこれに限定されるものではなく、種々の変更を行うことができる。
【００５６】
上述した実施の形態では、係止孔４５ａを有する前端係止部４５が商品載置部４０の両側部における前端部分に設けられ、係止切欠４６ａを有する後端係止部４６が商品載置部４０の両側部における後端部分に設けられていたが、本発明においては、係止孔を有する第１係止部が商品載置部の両側部における後端部分に設けられ、係止切欠を有する第２係止部が商品載置部の両側部における前端部分に設けられていてもよい。また、第１係止部及び第２係止部は、棚板に設けられていれば、商品載置部に設けられていなくてもよい。
【符号の説明】
【００５７】
１  ケース本体
１ａ  前面開口
２  収納室
１０  商品陳列棚
２０  ブラケット部材
３０  棚板
４０  商品載置部
４１  載置面
４４  ヒータ
４５  前端係止部（第１係止部）
４５ａ  係止孔
４６  後端係止部（第２係止部）
４６ａ  係止切欠
４７  上方屈曲部分
５０  規制部材
５１  水平延在部
５１ａ  第１係止片
５１ｂ  第２係止片
５２  上延部
６０  レール部材
【図１】
0006589346.tif 000002
【図２】
0006589346.tif 000003
【図３】
0006589346.tif 000004
【図４】
0006589346.tif 000005
【図５】
0006589346.tif 000006
【図６】
0006589346.tif 000007